(57)【要約】      （修正有）【課題】遠目からでも避難経路の方向が明確に判り、また設置に係わる作業や費用を軽減できる避難経路誘導装置を提供する。【解決手段】避難経路Ｒ１に沿って複数設置された発光装置１０の光Ｌにより夜間においても避難経路Ｒ１が示されるが、避難経路方向αに進行している場合には発光装置１０が発している誘導に係わる光Ｌを視認し続けることができ、逆方向に向かおうとする場合には誘導に係わる光が視認できなくなることで、避難経路方向αは遠目であっても明確に判別することができる。また発光装置１０を間隔をおいて設置することで、設置に係わる作業や費用は低減される。【選択図】        図２
2005221521.tif 000002
【特許請求の範囲】
【請求項１】
電源装置と、発光制御部と、発光部とを備えた発光装置を避難誘導経路に沿って間隔をおいて複数設置し、前記発光部の発光により避難経路を示す装置であって、該発光部から発せられる誘導に係わる光は、避難経路方向を向いた避難者から視認できるようになされると共に、前記避難経路方向と逆方向を向いた避難者には視認できないようになされていることを特徴とする避難経路誘導装置。
【請求項２】
前記複数の発光装置は、同期点滅を行うことを特徴とする請求項１に記載の避難経路誘導装置。
【請求項３】
前記発光装置は、避難経路の地表面近傍に設置されていることを特徴とする請求項１又は２に記載の避難経路誘導装置。
【発明の詳細な説明】
【技術分野】
【０００１】
本発明は、施設内や屋外において、災害発生時に発光により避難経路を誘導する避難経路誘導装置に関するものである。
【背景技術】
【０００２】
夜間において地震などの災害が発生し、停電が起こって周囲が暗闇になった場合には、避難しようとする人々は避難経路が判らずにパニック状態に陥ったり、何よりも暗闇により心理的な恐怖感を覚えることでパニック状態がより一層募る恐れがある。かかる状況に対して、独立した電源装置を備え、災害時にセンサー等により発光し避難経路を誘導する装置は、夜間においても明確な避難経路を誘導すると共に、暗闇による心理的な恐怖感を軽減し、パニック状態の発生を防止するのに多大な貢献をするものと期待されている。
【０００３】
従来、発光により避難誘導経路を誘導する避難誘導装置としては、例えば特許文献において互いに逆方向を向いた一方及び他方の三角矢印に発光手段を設けて前記一方及び他方の三角矢印を１組にして単位誘導表示部とし、この単位誘導表示部を表示体本体に所定の間隔をおいて多数設けて誘導表示部を形成して誘導表示体を構成し、前記一方及び他方の三角矢印が備える前記発行手段の発光を制御手段により制御するようにした誘導表示装置が開示されている。
【０００４】
【特許文献１】特開平１１−１７５８５４号公報
【発明の開示】
【発明が解決しようとする課題】
【０００５】
しかしながら、特許文献１に記載の如き誘導表示装置では、三角矢印の向きにより避難経路を指し示すものであり、近視の避難者や遠目からではその三角矢印の向きが判りにくく、避難経路が十分に伝達されない恐れがある。また避難経路に沿ってある程度連続して設置しないと、その設置の意味自体が理解されない場合もあり、更には設置に係わる作業や費用が嵩み、とりわけ屋外のような避難誘導経路が長距離に亘る場合には設置が躊躇されるものであった。
【０００６】
本発明は上記の如き課題に鑑みてなされたものであり、遠目からでも避難経路の方向が明確に判り、また設置に係わる作業や費用を軽減できる避難経路誘導装置を提供せんとするものである。
【課題を解決するための手段】
【０００７】
上記目的を達成するため、本発明は以下のような構成としている。すなわち、本発明に係わる避難経路誘導装置は、電源装置と、発光制御部と、発光部とを備えた発光装置を避難誘導経路に沿って間隔をおいて複数設置し、前記発光部の発光により避難経路を示す装置であって、該発光部から発せられる誘導に係わる光は、避難経路方向を向いた避難者から視認できるようになされると共に、前記避難経路方向と逆方向を向いた避難者には視認できないようになされていることを特徴とするものである。
【０００８】
また前記複数の発光装置は、同期点滅を行うことを特徴とするものである。
【０００９】
また前記発光装置は、避難経路の地表面近傍に設置されていることを特徴とするものである。
【発明の効果】
【００１０】
請求項１に記載の本発明に係わる避難経路誘導装置によれば、避難経路に沿って複数設置された発光装置の発光により夜間においても避難経路が示されるが、避難経路の方向を進行している場合には発光装置が発している誘導に係わる光を視認し続けることができ、逆方向に向かおうとする場合には誘導に係わる光が視認できなくなることで、避難経路の方向は遠目であっても明確に判別することができる。また発光装置を間隔をおいて設置することで、設置に係わる作業や費用は低減される。
【００１１】
また請求項２の発明によれば、点滅により発光に係わる動力が節減されると共に避難者への働きかけが能動的になり、また複数の発光装置が同期することで避難経路が明りょうに示されるようになり好ましい。
【００１２】
また請求項３の発明によれば、発光装置が避難経路の地表面近傍に設置されていることで、避難時の邪魔になりにくく、また濃霧が発生していても誘導に係わる光が視認し易くなり好ましい。
【発明を実施するための最良の形態】
【００１３】
本発明に係わる最良の実施の形態について、図面に基づき以下に具体的に説明する。
【００１４】
図１は、本発明に係わる発光装置の一例を示す説明図である。発光装置１０は外面全体がアルミニウム合金鋳物からなる一体の台形状カバーＣにより覆われ、台形状カバーＣは上面Ｃ１が矩形となされると共に、上面の四辺から下方への側面Ｃ２〜Ｃ５は各々傾斜面となされている。上面Ｃ１及び長手方向の一方の傾斜面Ｃ２には窓Ｗ１及びＷ２が開設され、窓Ｗ１及びＷ２は各々透明なポリカーボネート樹脂により塞がれ、上面Ｃ１の窓Ｗ１の内側には太陽光を受光して発電を行う太陽電池２が設けられ、長手方向の一方の傾斜面Ｃ２の窓Ｗ２の内部には、太陽電池２により発電された電力を用いて光Ｌを発光する複数のＬＥＤからなる発光部１が設けられている。また、本図において図示は省略するが、発光装置１０のカバーＣの内部には、更に発光部１の発光を制御する発光制御部と、太陽電池２により発電された電力を蓄電する電気二重層コンデンサ等の蓄電手段が内蔵され、太陽電池２と蓄電手段とにより電源装置が形成され、外部電力に頼ることなく発光部１を発光させることが可能となされている。長手方向の他方の傾斜面Ｃ３には、特に発光部等は設けられておらず、短手方向の傾斜面Ｃ４及びＣ５には、路面への取付用のアンカーボルト孔Ｃ４１及びＣ５１が設けられ、発光装置１０はアンカーボルト孔Ｃ４１及びＣ５１を用いてアンカーボルトを用いたり、接着剤等を下面に塗布する等することにより避難経路やその周辺の路面に固定して用いるものである。
【００１５】
図２は、図１に示した発光装置を用いて形成した、本発明に係わる避難経路誘導装置の実施の一形態を示す平面図である。本実施形態においては、地震により海岸Ｓに津波が発生する恐れがある場合に、海岸Ｓ付近の住民等を避難経路Ｒ１により高台にある避難場所Ｓに誘導するものであるが、避難経路Ｒ１に沿って、避難経路Ｒ１の地表面近傍に発光装置１０が適宜間隔をおいて複数設置されており、避難経路Ｒ１を避難場所Ｐへ避難経路方向αに進む避難者Ｈ１と発光部１を備えた傾斜面Ｃ２とが相対向するように発光装置１０は設置されており、避難者Ｈ１が避難経路方向αに進んでいる間には、避難者Ｈ１には発光部１から発せられる光Ｌが視認できるようになされているが、避難経路方向αと逆方向に進む場合には光Ｌは視認できなくなり、光Ｌの視認できる方向が避難経路方向であることを予め認識している場合はもとより、かかる認識がない場合でも避難者Ｈ１は本能的に光Ｌの見える方向に進もうとする傾向があり、避難すべき方向を認識してパニック状態に陥る恐れを低減することができる。
【００１６】
また、避難経路Ｒ１に途中から合流する道路Ｒ２を進んできた避難者Ｈ２に対しても、合流地点において、避難場所Ｐに続く避難経路Ｒ１の避難経路方向αに沿っては発光装置１０から発せられる光Ｌにより連続した光の点が続いており、避難経路方向αと逆の方向に沿ってはほとんど何も見えず、避難者Ｈ２にとってはいずれの方向が避難経路であるか認識することは容易である。尚、発光装置１０を設置する間隔としては、避難経路Ｒ１の幅や曲率等に応じて適宜の間隔にて設置してよいが、一般的な道路においては５〜１０ｍ程度が適当である。
【００１７】
更にまた、発光装置１０は避難経路Ｒ１の地表面近傍に設置されていることで、避難者Ｈ１及びＨ２などが衝突する恐れが少なくなって避難時の邪魔になりにくく、更に発光装置１０の外形が台形状となされていることで避難者Ｈ１及びＨ２などが躓く恐れも少なくなり、避難を円滑なものとすることができる。また濃霧が発生していても、地表面付近は比較的霧が薄く、誘導に係わる光が視認し易くなり、発光部１からの光Ｌが見えなくなって避難が困難となる恐れを小さくできる。
【００１８】
更にまた、複数間隔をおいて設置されている発光装置１０を同期点滅させることで、消費電力を低減して発光部１の発光を長時間行うことができ、また避難者Ｈ１及びＨ２等が避難経路の線形や避難経路方向を明りょうに視認することができるようになる。同期点滅は、複数の発光装置１０が同時に点滅を行う同時点滅としてもよく、また避難経路方向αに向かって発光装置１０が順番に点滅を行う順次点滅としてもよい。また同期を行う方法としては、ＧＰＳ、ＪＩＹを用いる方法や、有線又は無線を用いた制御を行う等、公知の方法を用いることができる。
【００１９】
更にまた、避難経路方向αに向かう避難者から視認できる発光部１から発せられる避難に係わる光Ｌの発光色については、緑色や青色といった安全を喚起させる色調のものを用いるのが好ましい。避難経路方向αと逆の方向に向かう避難者に対しては、特に発光部１等を設ける必要はないが、長手方向の一方の傾斜面Ｃ２に設けられた発光部１が緑色や青色といった安全を喚起させる色調の光Ｌを発するのに対し、長手方向の他方の傾斜面Ｃ３にも発光部１’を設け、発光部１’から赤色や黄色といった警告や注意を喚起させる色調の光Ｌ’を発することで、避難経路方向αと逆の方向が危険であることを喚起させるようにしてもよい。また、光Ｌの発光に加え、周辺にスピーカーを設けて、地震発生時に「津波の恐れがあります。緑色の光に沿って避難して下さい」といった避難経路に係わる音声情報を発することで、避難方法がより明確なものとなり、避難者等がパニック状態に陥る恐れを更に小さくでき好ましい。
【００２０】
図３は、本発明に係わる発光装置の、他の実施例を示す説明図である。イ）は自発光視線誘導標で、標示面１０Ａ１に設けられた矢印形状の反射体Ｆの周囲に発光部１を取り囲むように設けた発光装置１０Ａを、標示面１０Ａ１が避難経路方向αに進む避難者に相対向するように設置し、標示面１０Ａ１の反対側の面に発光部１等を設けないことで、避難者に対して避難経路方向αを明りょうに指示することができるものとなる。ロ）は自発光矢羽根であり、積雪地域において道路の端縁を示すために間隔をおいて設置されるものであるが、赤白の縞模様で矢羽根形状となされた標示面１０Ｂ１に、上下方向に発光部１が設けられて発光装置１０Ｂが形成され、発光装置１０Ｂの標示面１０Ｂ１を避難経路方向αに進む避難者に相対向するように設置し、標示面１０Ｂ１の反対側の面に発光部１等を設けないことで、避難者に対して避難経路方向αを明りょうに指示することができるものとなる。ハ）は自発光デリニェーターであり、円形の反射体Ｆの周囲に発光部１を取り囲むように設けた発光装置１０Ｃを、標示面１０Ｃ１が避難経路方向αに進む避難者に相対向するように設置し、標示面１０Ｃ１の反対側の面に発光部１等を設けないことで、避難者に対して避難経路方向αを発光により明りょうに指示することができるものとなる。標示面１０Ｃ１の上方には太陽電池２が添設され、発光部１の発光に係わる電力を賄うようになされている。
【００２１】
上述の実施形態においては、主として屋外における避難誘導にて説明しているが、本発明に係わる避難経路誘導装置が適用されるのは屋外に限定されるものではなく、宿泊施設や病院等の屋内施設の廊下等に対しても適用することができる。
【図面の簡単な説明】
【００２２】
【図１】本発明に係わる発光装置の一例を示す説明図である。
【図２】本発明に係わる避難経路誘導装置の、実施の一形態を示す平面図である。
【図３】発光装置の他の例を示す説明図である。
【符号の説明】
【００２３】
１    発光部
２    太陽電池
１０  発光装置
Ｒ１  避難経路
α    避難経路方向
Ｈ１、Ｈ２  避難者
【図１】
2005221521.tif 000003
【図２】
2005221521.tif 000004
【図３】
2005221521.tif 000005